(57)【特許請求の範囲】
【請求項１】
着用者からの排泄物を受ける吸収性物品であって、
着用者の股間部に対向する中央吸収コアと、
前記中央吸収コアの後方部の左右から中央部の左右まで前後方向に伸びる一対のサイド吸収コアと、
前記中央吸収コアおよび前記一対のサイド吸収コアの外面を覆うバックシートと、
前記中央吸収コアおよび前記一対のサイド吸収コアの内面を覆うトップシートと、
前記一対のサイド吸収コアの前方かつ前記中央吸収コアの前方部の左右に位置し、前後方向に伸縮性を有するサイド弾性部材と、
を備え、
前記中央吸収コアの前記前方部の左右には、前記サイド弾性部材が存在し、前記一対のサイド吸収コアは存在しないことを特徴とする吸収性物品。
【請求項２】
請求項１に記載の吸収性物品であって、
前記中央吸収コアと前記一対のサイド吸収コアとの間に、前後方向に伸びる一対の股下部弾性部材をさらに備えることを特徴とする吸収性物品。
【請求項３】
請求項１または２に記載の吸収性物品であって、
前記中央吸収コアが砂時計型であることを特徴とする吸収性物品。
【請求項４】
請求項１ないし３のいずれかに記載の吸収性物品であって、
前記中央吸収コアと前記一対のサイド吸収コアとの間において、前記トップシートから上方へと起立する一対の側壁部をさらに備えることを特徴とする吸収性物品。
【請求項５】
請求項４に記載の吸収性物品であって、
前記トップシートが、中央トップシートと、一対のサイドトップシートとを備え、
前記中央吸収コアの内面が前記中央トップシートにより覆われ、
前記一対のサイド吸収コアの内面が前記一対のサイドトップシートにより覆われ、
疎水性不織布が、前記中央吸収コアの外面から両側部を経由して上方へと立ち上がることにより、前記一対の側壁部が形成され、
前記一対のサイドトップシートが、前記一対の側壁部に接合されることを特徴とする吸収性物品。
【請求項６】
請求項１ないし５のいずれかに記載の吸収性物品であって、
前記一対のサイド吸収コアの前記中央吸収コアとは反対側の側部が、前記トップシートにより覆われ、
前記バックシートの外側に、疎水性不織布により形成された外面シートをさらに備え、
前記外面シートが、前記一対のサイド吸収コアの前記側部よりも左右に出ていることを特徴とする吸収性物品。
【請求項７】
使い捨ておむつであって、
外装シートと、
前記外装シートに固定された請求項１ないし６のいずれかに記載の吸収性物品と、
を備えることを特徴とする使い捨ておむつ。
【請求項８】
請求項７に記載の使い捨ておむつであって、
前記外装シートが、
前部外装シートと、
左右両側の端部が、前記前部外装シートの左右両側の端部に接合された後部外装シートと、
を備え、
前記吸収性物品が、前記前部外装シートの左右方向の中央部および前記後部外装シートの前記左右方向の中央部に接合されることを特徴とする使い捨ておむつ。
【発明の詳細な説明】
【技術分野】
【０００１】
本発明は、着用者からの排泄物を受ける吸収性物品に関する。
【背景技術】
【０００２】
従来より、股下の部位が着用者の鼠径部に沿って折り曲げられる使い捨ておむつが提案されている。特許文献１に開示される展開型の使い捨ておむつは、液透過性の表面シート、液不透過性または撥水性の裏面シート、および、両シート間に介在する吸収性コアを備える。吸収性コアは、股下領域において、中央コアおよび中央コアの両側に位置する一対のレッグコアを備える。中央コアと一対のレッグコアとの間の中間領域には、弾性部材が設けられる。また、中間領域において、一対の導水壁が形成されるように、表面シートの一部が着用者の肌当接面側にて起立する。使い捨ておむつの着用時には、中間領域が存在することにより、レッグコアが設けられる部位が下方に向かって屈曲する。使い捨ておむつでは、当該部位が着用者の大腿内側部に密着することにより、足回りからの漏れが改善される。
【０００３】
特許文献２に開示されるパンツ型使い捨ておむつは、表面シート、裏面シート、両シート間に介在する吸収体本体、および、おむつのレッグ開口部に沿って伸びるレッグフラップ弾性部材を備える。レッグフラップ弾性部材は、股下部において、吸収体本体と裏面シートとの間に位置する。吸収体本体では、幅方向における両側において、レッグフラップ弾性部材の伸長応力により外表面側へと屈曲するレッグフラップ吸収体が形成される。おむつの着用時には、レッグフラップ吸収体が着用者の太股内側に当接することにより、股下部から漏れ出た排泄物がレッグフラップ吸収体に吸収される。
【０００４】
特許文献３に開示される使い捨ておむつでは、中央吸収体の左右に帯状のレッグ吸収体が設けられ、中央吸収体とレッグ吸収体との間に、吸収体が配されていない、または、吸収体の坪量が低い中間領域が設けられる。また、レッグ吸収体と裏面シートとの間には、弾性部材が固定される。
【先行技術文献】
【特許文献】
【０００５】
【特許文献１】特開２００７−２２２３７０号公報
【特許文献２】特開２００４−４９７０９号公報
【特許文献３】特開２００２−２０９９３９号公報
【発明の概要】
【発明が解決しようとする課題】
【０００６】
ところで、特許文献１では、おむつのレッグコアが設けられる部位が、着用者の足回りの広い範囲に密着することにより、着用者の足の動きが妨げられてしまう。特許文献２および３においても同様である。
【０００７】
本発明は、上記課題に鑑みなされたものであり、着用者の足の動きを妨げることなく吸収性物品を足回りに密着させることを目的としている。
【課題を解決するための手段】
【０００８】
請求項１に記載の発明は、着用者からの排泄物を受ける吸収性物品であって、着用者の股間部に対向する中央吸収コアと、前記中央吸収コアの後方部の左右から中央部の左右まで前後方向に伸びる一対のサイド吸収コアと、前記中央吸収コアおよび前記一対のサイド吸収コアの外面を覆うバックシートと、前記中央吸収コアおよび前記一対のサイド吸収コアの内面を覆うトップシートと、前記一対のサイド吸収コアの前方かつ前記中央吸収コアの前方部の左右に位置し、前後方向に伸縮性を有するサイド弾性部材とを備え、前記中央吸収コアの前記前方部の左右には、前記サイド弾性部材が存在し、前記一対のサイド吸収コアは存在しない。
【０００９】
請求項２に記載の発明は、請求項１に記載の吸収性物品であって、前記中央吸収コアと前記一対のサイド吸収コアとの間に、前後方向に伸びる一対の股下部弾性部材をさらに備える。
【００１０】
請求項３に記載の発明は、請求項１または２に記載の吸収性物品であって、前記中央吸収コアが砂時計型である。
【００１１】
請求項４に記載の発明は、請求項１ないし３のいずれかに記載の吸収性物品であって、前記中央吸収コアと前記一対のサイド吸収コアとの間において、前記トップシートから上方へと起立する一対の側壁部をさらに備える。
【００１２】
請求項５に記載の発明は、請求項４に記載の吸収性物品であって、前記トップシートが、中央トップシートと、一対のサイドトップシートとを備え、前記中央吸収コアの内面が前記中央トップシートにより覆われ、前記一対のサイド吸収コアの内面が前記一対のサイドトップシートにより覆われ、疎水性不織布が、前記中央吸収コアの外面から両側部を経由して上方へと立ち上がることにより、前記一対の側壁部が形成され、前記一対のサイドトップシートが、前記一対の側壁部に接合される。
【００１３】
請求項６に記載の発明は、請求項１ないし５のいずれかに記載の吸収性物品であって、前記一対のサイド吸収コアの前記中央吸収コアとは反対側の側部が、前記トップシートにより覆われ、前記バックシートの外側に、疎水性不織布により形成された外面シートをさらに備え、前記外面シートが、前記一対のサイド吸収コアの前記側部よりも左右に出ている。
【００１４】
請求項７に記載の発明は、使い捨ておむつであって、外装シートと、前記外装シートに固定された請求項１ないし６のいずれかに記載の吸収性物品とを備える。
【００１５】
請求項８に記載の発明は、請求項７に記載の使い捨ておむつであって、前記外装シートが、前部外装シートと、左右両側の端部が、前記前部外装シートの左右両側の端部に接合された後部外装シートとを備え、前記吸収性物品が、前記前部外装シートの左右方向の中央部および前記後部外装シートの前記左右方向の中央部に接合される。
【発明の効果】
【００１６】
本発明によれば、着用者の足の動きを妨げることなく吸収性物品を足回りに密着させることができる。請求項２の発明では、サイド吸収コアをより足回りに密着させることができる。請求項３の発明では、中央吸収コアが設けられる部位を容易に凹状とすることができ、排泄物をより確実に受け止めることができる。また、尿取りパッドが使用される際には、尿取りパッドを容易に収容することができる。
【００１７】
請求項５の発明では、中央吸収コアにて吸収された水分がサイド吸収コアへと移動することが抑制される。請求項６の発明では、サイド吸収コアの側部から水分が漏れ出すことを抑制することができる。
【図面の簡単な説明】
【００１８】
【図１】第１の実施の形態に係るおむつを示す図である。
【図２】おむつの展開図である。
【図３】吸収体の平面図である。
【図４】吸収体の断面図である。
【図５】吸収体の断面図である。
【図６】第２の実施の形態に係るおむつの展開図である。
【発明を実施するための形態】
【００１９】
図１は、本発明の第１の実施の形態に係る使い捨ておむつ１（以下、単に「おむつ１」という。）の正面図である。図１では、着用者の腹側に位置する部位を示している。おむつ１は、パンツタイプであり、上部に位置する胴部開口１１および下部の左右に位置する一対の脚部開口１２を有する。
【００２０】
図２は、おむつ１の展開図であり、おむつ１の内側の構造を示している。図２では、図１に示すおむつ１の腹側の部位を図２の上側に示し、背側の部位を下側に示している。おむつ１は、外装シート２および外装シート２に固定される吸収性物品である吸収体３を備える。図２では、吸収体３は輪郭のみを示している。以下の説明では、図２における上方向をおむつ１の「前方向」といい、下方向をおむつ１の「後方向」という。外装シート２は、着用者の腹側の肌に接する前部外装シート２１および着用者の背側の肌に接する後部外装シート２２を備える。
【００２１】
前部外装シート２１および後部外装シート２２はそれぞれ、積層された複数のシートにて形成される。前部外装シート２１および後部外装シート２２には、疎水性繊維にて形成された撥水性および／または不透液性の不織布やプラスチックフィルムが利用される。また、不織布とプラスチックフィルムとが積層された積層シートが利用されてもよい。プラスチックフィルムとしては、透湿性（または通気性）を有するものが利用されることが好ましい。さらに、前部外装シート２１および後部外装シート２２として、親水性繊維により形成された不織布や親水処理した疎水性繊維にて形成された透液性の不織布が利用されてもよい。
【００２２】
おむつ１では、前部外装シート２１の図２における左右両側の端部２１２，２１３が、後部外装シート２２の左右両側の端部２２２，２２３とヒートシール等により接合されることにより、図１の胴部開口１１および脚部開口１２が形成される。
【００２３】
吸収体３は、前部外装シート２１と後部外装シート２２との間に位置する。吸収体３の前部は、前部外装シート２１の図２における左右方向の中央部２１１の後部外装シート２２側の部位、すなわち、おむつ１をパンツ状としたときの前部外装シート２１の中央下部に接合される。吸収体３の後部は、後部外装シート２２の左右方向における中央部２２１の前部外装シート２１側の部位、すなわち、おむつ１をパンツ状としたときの後部外装シート２２の中央下部に接合される。図１に示すように、吸収体３は、前部外装シート２１および後部外装シート２２の下部から下方に突出する。
【００２４】
おむつ１の着用時には、吸収体３が、前部外装シート２１の中央部２１１から着用者の股間部を経由して後部外装シート２２の中央部２２１へと至り、着用者からの排泄物を受ける。
【００２５】
前部外装シート２１は、複数のポリウレタン糸にて構成される脚部弾性部材２１４、胴部弾性部材２１５、密着用弾性部材２１６および補助弾性部材２１７を備え、各弾性部材２１４〜２１７は、前部外装シート２１の複数のシートの間に挟まれてホットメルト接着剤により伸張状態にて接着される。脚部弾性部材２１４は、前部外装シート２１の前後方向における後側のエッジ２１ｂ、すなわち、図１における下側のエッジに沿って設けられる。胴部弾性部材２１５は、おむつ１の前後方向における前側のエッジ２１ａ、すなわち、図１における上側のエッジに沿って直線状に伸びる。複数の密着用弾性部材２１６は、胴部弾性部材２１５と脚部弾性部材２１４との間にて、胴部弾性部材２１５と平行に伸びる。補助弾性部材２１７は、脚部弾性部材２１４と密着用弾性部材２１６との間にて、蛇行しつつ図２の左右方向に伸びる。
【００２６】
後部外装シート２２は、複数のポリウレタン糸にて構成される脚部弾性部材２２４、胴部弾性部材２２５および密着用弾性部材２２６を備え、各弾性部材２２４〜２２６は、後部外装シート２２の複数のシートの間に挟まれてホットメルト接着剤により伸張状態にて接着される。脚部弾性部材２２４は、後部外装シート２２の前後方向における前側のエッジ２２ｂ、すなわち、図１における下側のエッジに沿って設けられる。胴部弾性部材２２５は、おむつ１の前後方向における後側のエッジ２２ａ、すなわち、図１における上側のエッジに沿って直線状に伸びる。複数の密着用弾性部材２２６は、胴部弾性部材２２５と脚部弾性部材２２４との間にて、胴部弾性部材２２５と平行に伸びる。
【００２７】
図１および図２に示すように、おむつ１では、前部外装シート２１および後部外装シート２２の脚部弾性部材２１４，２２４、および、後述の吸収体３の股下部弾性部材が収縮することによりレッグギャザが形成され、おむつ１の着用時にレッグギャザが着用者の足の付け根近傍に密着する。また、補助弾性部材２１７が設けられることにより、おむつ１の前側の部位の足回りが補強される。なお、実際には、脚部弾性部材２１４，２２４および補助弾性部材２１７のうち吸収体３に重なる部位は、細かく切断され、伸縮性を有しない。さらに、胴部弾性部材２１５，２２５および密着用弾性部材２１６，２２６が収縮することによりウエストギャザが形成され、おむつ１が着用者の腰周りに密着する。
【００２８】
図３は、図２における吸収体３近傍を拡大して示す図である。図４は、吸収体３を図３の矢印Ａの位置にて切断した断面図である。図４では、図示の都合上、吸収体３の各構成を僅かに離して描いている。後述の図５においても同様である。吸収体３は、吸収コア４１、吸収コア４１と着用者との間に介在するトップシート４２、トップシート４２とは反対側にて吸収コア４１を覆うバックシート４３（図４のみに図示）、および、バックシート４３を覆う外面シート４４を備える。吸収体３は、図３の前後方向、すなわち、図４の紙面に垂直な方向に伸びる一対の股下部弾性部材４５、トップシート４２から上方へと起立する一対の側壁部４６、および、前後方向に伸びる一対のサイド弾性部材４７（図３のみに図示）をさらに備える。
【００２９】
吸収コア４１は、着用者の股間部に対向する中央吸収コア４１１、および、中央吸収コア４１１の両側に設けられた一対のサイド吸収コア４１２を備える。図３では、中央吸収コア４１１およびサイド吸収コア４１２に平行斜線を付している。中央吸収コア４１１およびサイド吸収コア４１２はそれぞれ、粉砕したパルプ繊維やセルロース繊維等の親水性繊維に粒状の高吸収性ポリマや高吸収性ファイバ等の高吸収性材料を混合したものをティッシュペーパーや透液性不織布等により包み込んで形成される。ティッシュペーパーや透液性不織布等は、親水性繊維および吸水性材料とホットメルト接着剤により接合される。これにより、親水性繊維の型崩れ、および、吸水性材料の脱落（特に、吸水後における脱落）が防止される。
【００３０】
図３に示すように、中央吸収コア４１１は、いわゆる、砂時計型であり、前部外装シート２１と重なる部位５１１および後部外装シート２２と重なる部位５１２の幅が、着用者の股間部に位置する部位５１３よりも大きい。以下、部位５１１〜５１３をそれぞれ、中央吸収コア４１１の「前方部５１１」、「後方部５１２」および「中央部５１３」と呼ぶ。
【００３１】
おむつ１では、吸収体３の前側の端部が、シートの間に挟まれるようにして前部外装シート２１に接着される。同様に、吸収体３の後側の端部が、シートの間に挟まれるようにして後部外装シート２２に接着される。これにより、吸収体３の前後端部のめくれ上がりが防止される。なお、前部外装シート２１および後部外装シート２２に含まれるシートのうち、吸収体３の内面に重なるシートは、外面に重なるシートよりも前後方向に短い距離だけ吸収体３に重なる。
【００３２】
サイド吸収コア４１２は前後方向に長く、サイド吸収コア４１２の長さは、中央吸収コア４１１よりも短い。サイド吸収コア４１２は、中央吸収コア４１１の後方部５１２から中央部５１３の左右まで前後方向に伸びるように存在する。換言すれば、サイド吸収コア４１２は、中央吸収コア４１１の前方部５１１の左右に位置する部位が欠けた形状となっている。なお、中央吸収コア４１１の前方部５１１、中央部５１３および後方部５１２は厳密に区別される必要はなく、前後方向に比較的長い中央領域が中央部５１３として捉えられてよい。サイド吸収コア４１２の長さは、後述するように着用者の歩行の妨げを低減することができる範囲で適宜決定される。
【００３３】
図３および図４に示すように、トップシート４２は、帯状の中央トップシート４２１、および、中央トップシート４２１の左右に位置する帯状の一対のサイドトップシート４２２を備える。中央トップシート４２１およびサイドトップシート４２２は、透液性のシート材料、例えば、親水性繊維により形成された不織布である。中央トップシート４２１およびサイドトップシート４２２として利用される不織布は、例えば、スパンボンド不織布、ポイントボンド不織布、エアスルー不織布、スパンレース不織布であり、これらの不織布を形成する親水性繊維としては通常、セルロースやレーヨン、コットン等が用いられる。なお、中央トップシート４２１およびサイドトップシート４２２として、表面を界面活性剤により親水処理した疎水性繊維（例えば、ポリプロピレン、ポリエチレン、ポリエステル、ポリアミド、ナイロン）にて形成された透液性の不織布が利用されてもよい。
【００３４】
中央トップシート４２１は、図３に示す中央吸収コア４１１の内側の面５２１、すなわち、図４における上側の面５２１を覆う。面５２１は、おむつ１の着用時に着用者の肌に接する面であり、以下の説明では、面５２１を「内面５２１」と呼ぶ。さらに、中央吸収コア４１１の内面５２１とは反対側の面を「外面５２２」と呼ぶ。また、吸収体３のうち平面視において中央トップシート４２１が存在する部位を「中央吸収部３１」という。
【００３５】
左側のサイドトップシート４２２は、図３に示す左側のサイド吸収コア４１２の内側の面５３１、すなわち、図４における上側の面５３１および左側の側部５３３を覆う。両サイド吸収コア４１２の面５３１は、おむつ１の着用時に着用者の肌に接する面であり、以下、面５３１を「内面５３１」と呼ぶ。内面５３１とは反対側の面を「外面５３２」と呼ぶ。右側のサイドトップシート４２２は、右側のサイド吸収コア４１２の内面５３１および右側の側部５３４を覆う。以下の説明では、吸収体３のうち平面視において一対のサイドトップシート４２２が存在する部位をそれぞれ「サイド吸収部３２」という。
【００３６】
図４に示すように、一対の側壁部４６は、中央吸収コア４１１と一対のサイド吸収コア４１２との間に位置し、疎水性不織布４６１（正確にはその一部）および一対の弾性部材４６２を備える。疎水性不織布４６１は、中央吸収コア４１１の外面５２２および左右の両側部５２３を覆う。さらに、疎水性不織布４６１の左右方向における両側の部位は、図４における上方に向かって伸びるとともに中央トップシート４２１に向かって下方へと折り返される。なお、当該部位の前後方向における両端は、中央トップシート４２１上に接合される。
【００３７】
弾性部材４６２は、前後方向に伸び、疎水性不織布４６１の折り返し部の内側にホットメルト接着剤等にて接合される。また、サイドトップシート４２２は、側壁部４６の左右方向における外側の面に接合される。図５に示すように、側壁部４６は、弾性部材４６２が収縮することにより、中央吸収コア４１１の内側に向かって傾斜し、着用者の脚の付け根近傍に当接する。側壁部４６が設けられることにより、排泄物の横漏れが防止される。
【００３８】
図４に示すように、バックシート４３は、疎水性不織布４６１を介在させつつ中央吸収コア４１１の外面５２２、および、サイド吸収コア４１２の外面５３２を覆う。バックシート４３には、疎水性繊維にて形成された撥水性および／または不透液性の不織布（例えば、スパンボンド不織布やメルトブロー不織布、ＳＭＳ（スパンボンド・メルトブロー・スパンボンド）不織布）や、撥水性および／または不透液性のプラスチックフィルム、あるいは、これらの不織布とプラスチックフィルムとが積層された積層シートが利用される。おむつ１では、バックシート４３が設けられることにより、尿等の水分が、吸収体３の外側にしみ出すことが防止される。バックシート４３にプラスチックフィルムが利用される場合、おむつ１のムレを防止して着用者の快適性を向上するという観点から、より好ましくは、透湿性（または通気性）を有するプラスチックフィルムが利用される。
【００３９】
バックシート４３の外側には、疎水性不織布により形成された外面シート４４が設けられる。外面シート４４は、図３および図４において左側のサイド吸収コア４１２の左側の側部５３３および右側のサイド吸収コア４１２の右側の側部５３４、すなわち、一対のサイド吸収コア４１２の中央吸収コア４１１とは反対側の側部５３３，５３４よりも僅かに左右に出ている。
【００４０】
図３に示すように、サイド弾性部材４７は、サイド吸収コア４１２の前方、すなわち、中央吸収コア４１１の前方部５１１の左右に設けられる。サイド弾性部材４７は、複数のポリウレタン糸にて形成され、前後方向に伸縮性を有する。サイド弾性部材４７の後側の端部は、サイド吸収コア４１２に近接または重なり、サイド弾性部材４７により、サイド吸収コア４１２には、前後方向に張力が生じる。これにより、おむつ１の着用時に、サイド吸収コア４１２の形状を安定させることができる。
【００４１】
股下部弾性部材４５は、中央吸収コア４１１とサイド吸収コア４１２との間に設けられる。サイド弾性部材４７と同様に、股下部弾性部材４５は複数のポリウレタン糸にて形成され、前後方向に伸縮性を有する。
【００４２】
おむつ１では、股下部弾性部材４５が収縮することにより、中央吸収コア４１１とサイド吸収コア４１２との間にギャザが形成される。これにより、図１および図５に示すように、中央吸収部３１の前後方向中央部、すなわち、下部は下方に向かって窪む凹状となる。また、一対のサイド吸収部３２の前後方向中央部は、外側へと左右斜め下に傾斜する。おむつ１の着用時には、サイド吸収部３２が着用者の太股の内側に当接する。図３に示す外面シート４４のうちサイド吸収コア４１２と重なる部位は、前後の端部を除いて前部外装シート２１および後部外装シート２２に接着されていない。このため、サイド吸収部３２は容易に外側かつ下方へと傾斜する。
【００４３】
着用者から尿等の水分が排泄される際には、水分が図５に示す中央トップシート４２１を透過し、中央吸収コア４１１に吸収される。吸収体３では、側壁部４６の疎水性不織布４６１が、中央吸収コア４１１の外面５２２および両側部５２３を覆うことから、水分は中央吸収部３１内にある程度保持される。
【００４４】
また、多量の水分が排泄された場合、側壁部４６を超えて中央吸収部３１の左右方向に漏れ出した水分は、前後方向に伸びるサイド吸収コア４１２にて吸収される。このように、おむつ１では、サイド吸収部３２が設けられることにより、尿等が足回りから漏れ出すことがより効果的に防止される。
【００４５】
以上、第１の実施の形態に係るおむつ１の構造について説明したが、おむつ１では、サイド吸収コア４１２が中央吸収コア４１１の後方部５１２および中央部５１３の左右にのみ位置し、前方部５１１の左右には存在しない。これにより、サイド吸収コア４１２が着用者の足回りの前方付近に被さることはなく、足回りのもたつきが解消され、歩行時に着用者の足の動きが妨げられることが防止される。おむつ１では、サイド吸収コア４１２が、前部外装シート２１上に存在しないことがより好ましい。これにより、着用者の足の動きが妨げられることがより効果的に防止される。サイド弾性部材４７が伸縮することにより、サイド吸収コア４１２を足回り（特に鼠径部）に密着させることができる。股下部弾性部材４５が設けられることによりサイド吸収部３２が着用者の太股の内側に沿って傾斜するため、サイド吸収コア４１２をより足回りに密着させることができる。
【００４６】
吸収体３では、中央吸収コア４１１が砂時計型であるため、股下部弾性部材４５が収縮することにより、中央吸収部３１が容易に凹状となる。これにより、排泄物をより確実に受け止めることができる。おむつ１に尿取りパッドが装着される場合、中央吸収部３１が凹状であることにより、尿取りパッドを中央吸収部３１に容易に収容することができる。吸収体３では、外面シート４４が、一対のサイド吸収部３２の中央吸収コア４１１とは反対側の側部５３３，５３４よりも左右に出ていることにより、側部５３３，５３４から水分が漏れ出すことがさらに抑制される。
【００４７】
側壁部４６を形成する疎水性不織布４６１は、中央吸収コア４１１の外面５２２から両側部５２３を経由して上方へと立ち上がるため、中央吸収コア４１１にて吸収された水分が、サイド吸収コア４１２へと移動することが抑制される。
【００４８】
サイド吸収コア４１２への水分の移動を多少抑制しつつサイド吸収コア４１２の吸収力を積極的に利用する場合、疎水性不織布４６１として透液性をある程度有する疎水性不織布が利用されてもよい。この場合、中央吸収コア４１１にて吸収された水分の一部は、透液性を有する疎水性不織布を介してサイド吸収部３２へと徐々に流れ出し、サイド吸収コア４１２にて吸収される。疎水性不織布４６１に代えて親水性不織布が用いられてもよい。透液性を有する疎水性不織布や親水性不織布が側壁部４６も形成する場合、尿が側壁部４６上を縦方向に流れて吸収体３の前後端から漏れることも防止される。
【００４９】
図６は、第２の実施の形態に係るおむつ１ａを示す図である。おむつ１ａは、前部外装シート２１および後部外装シート２２の形状を除いて図２に示すおむつ１と同様である。以下、同様の構成には、同符号を付して説明する。おむつ１ａをパンツ状にした状態において、前部外装シート２１では、前後方向における前側のエッジ２１ａおよび後側のエッジ２１ｃがそれぞれ、前部外装シート２１の上側のエッジおよび下側のエッジとなり、後部外装シート２２の前側のエッジ２２ｃおよびエッジ２２ａがそれぞれ、後部外装シート２２の下側のエッジおよび上側のエッジとなる。以下の説明では、前部外装シート２１のエッジ２１ａを「上エッジ２１ａ」といい、後側のエッジ２１ｃを「下エッジ２１ｃ」という。後部外装シート２２のエッジ２２ｃを「下エッジ２２ｃ」といい、エッジ２２ａを「上エッジ２２ａ」という。
【００５０】
おむつ１ａを展開した状態では、前部外装シート２１の下エッジ２１ｃは、吸収体３から左右方向に離れるに従って前部外装シート２１の上エッジ２１ａに近づく方向へと向かった後に上エッジ２１ａから離れる方向へと向かう。換言すれば、前部外装シート２１の下エッジ２１ｃは、吸収体３の左右方向の両側において、後部外装シート２２から離れるように凹状である。吸収体３と重なる領域においては、下エッジ２１ｃは、左右方向に略平行なおよそ直線状である。
【００５１】
後部外装シート２２では、下エッジ２２ｃが、吸収体３から左右方向に離れるに従って後部外装シート２２の上エッジ２２ａから離れる方向へと向かった後に上エッジ２２ａに近づく方向へと向かう。換言すれば、後部外装シート２２の下エッジ２２ｃは、吸収体３の左右方向の両側において、前部外装シート２１に向かって凸状である。吸収体３と重なる領域においては、下エッジ２２ｃは、左右方向に略平行なおよそ直線状である。
【００５２】
おむつ１ａでは、吸収体３の左右両側において、前部外装シート２１の下エッジ２１ｃが上側に抉られた形状となっている（すなわち、脚繰りが凹状に繰られている）ことにより、着用者の脚の動きが前部外装シート２１の下端部により妨げられることが防止される。また、吸収体３の左右両側において、後部外装シート２２の下エッジ２２ｃが下側に凸であることにより、後部外装シート２２の下端部により着用者の臀部の下部（および、臀部と大腿部との境目近傍の部位）が包み込まれるため、着用者の後側下方からの排泄物の漏れが抑制される。
【００５３】
前部外装シート２１と後部外装シート２２とは、１枚のシート部材を１本の切断線にて切断することにより形成され、当該切断により形成されたエッジは、前部外装シート２１の下エッジ２１ｃ、および、後部外装シート２２の下エッジ２２ｃとなる。したがって、おむつ１ａを展開した状態では、前部外装シート２１の下エッジ２１ｃの形状は、前部外装シート２１と後部外装シート２２とを近づけた際に後部外装シート２２の下エッジ２２ｃと一致する形状となる。
【００５４】
第２の実施の形態においても、サイド吸収コア４１２が中央吸収コア４１１の後方部５１２および中央部５１３の左右にのみ位置し、前方部５１１の左右には存在しない。これにより、サイド吸収コア４１２により着用者の足の動きが妨げられることが防止される。また、サイド弾性部材４７が設けられることにより、サイド吸収コア４１２を足回りに密着させることができる。股下部弾性部材４５が設けられることにより、サイド吸収コア４１２をより足回りに密着させることができる。
【００５５】
以上、本発明の実施の形態について説明したが、本発明は上記実施の形態に限定されるものではなく、様々な変更が可能である。
【００５６】
上記実施の形態では、サイド弾性部材４７および股下部弾性部材４５が帯状のポリウレタンフィルムや糸状または帯状の天然ゴムにて形成されてもよく、伸縮性不織布にて形成されてもよい。サイド弾性部材４７として伸縮性不織布が用いられる場合、通常、着用状態においてサイド弾性部材４７の領域にはギャザーは形成されない。なお、サイド弾性部材４７にてサイド吸収コア４１２が十分に引っ張られる場合は、股下部弾性部材４５を省略することも可能である。脚部弾性部材２１４，２２４、胴部弾性部材２１５，２２５、密着用弾性部材２１６，２２６および補助弾性部材２１７も、帯状のポリウレタンフィルムや糸状または帯状の天然ゴム等にて形成されてもよい。
【００５７】
中央吸収コア４１１とサイド吸収コア４１２とは一繋がりの部材とされてもよい。この場合、中央吸収コア４１１とサイド吸収コア４１２との間の部位の厚さを薄くすることにより、サイド吸収コア４１２を容易におむつ１の下方に向かって傾斜させることができる。この場合、側壁部４６は、トップシート４２上に接合される。
【００５８】
疎水性不織布４６１は、必ずしも、中央吸収コア４１１の外面５２２全体を覆う必要はない。疎水性不織布４６１は、外面５２２のうち少なくとも両側部５２３近傍の部位から両側部５２３を経由して上方へと立ち上がることにより、中央吸収コア４１１にて吸収された水分が、サイド吸収コア４１２へと移動することが抑制される。吸収体３では、サイド弾性部材４７がサイド吸収コア４１２から前後方向に離れて設けられてもよい。この場合であっても、サイド弾性部材４７により、サイドトップシート４２２およびバックシート４３が、おむつ１の前側に引っ張られるため、サイド吸収コア４１２の形状を安定させることが可能となる。
【００５９】
上記実施の形態では、外装シート２は、股下にて前後方向に連続してもよい。ただし、外装シート２が前後に分かれている方が、サイド吸収コア４１２が不必要に引き上げられず、サイド吸収コア４１２を容易に理想的な形状とすることができる。吸収体３は、パンツタイプ以外の使い捨ておむつに利用されてよく、例えば、着用者の腹側に接する部位と背側に接する部位とを止着テープにより止着して着用するテープタイプのものに利用されてよい。吸収体３の構造は、尿取りパッド等の他の吸収性物品に適用されてもよい。尿取りパッドとして吸収体３が取り付けられた使い捨ておむつにおいても、着用者の足の動きを妨げることなく尿取りパッドを足回りに密着させることができる。
【００６０】
上記実施の形態および各変形例における構成は、相互に矛盾しない限り適宜組み合わせられてよい。
【符号の説明】
【００６１】
１，１ａ    おむつ
２    外装シート
３    吸収体
２１    前部外装シート
２２    後部外装シート
４２    トップシート
４３    バックシート
４４    外面シート
４５    股下部弾性部材
４６    側壁部
４７    サイド弾性部材
２１１    （前部外装シートの）中央部
２１２，２１３    （前部外装シートの）端部
２２１    （後部外装シートの）中央部
２２２，２２３    （後部外装シートの）端部
４１１    中央吸収コア
４１２    サイド吸収コア
４２１    中央トップシート
４２２    サイドトップシート
４６１    疎水性不織布
５１１    （中央吸収コアの）前方部
５１２    （中央吸収コアの）後方部
５１３    （中央吸収コアの）中央部
５２１    （中央吸収コアの）内面
５２２    （中央吸収コアの）外面
５２３    （中央吸収コアの）両側部
５３１    （サイド吸収コアの）内面
５３２    （サイド吸収コアの）外面
５３３，５３４    （サイド吸収コアの）側部
【図１】
0005774293.tif 000002
【図２】
0005774293.tif 000003
【図３】
0005774293.tif 000004
【図４】
0005774293.tif 000005
【図５】
0005774293.tif 000006
【図６】
0005774293.tif 000007